【手続補正書】
【提出日】平成20年4月25日(2008.4.25)
【手続補正１】
【補正対象書類名】明細書
【補正対象項目名】特許請求の範囲
【補正方法】変更
【補正の内容】
【特許請求の範囲】
【請求項１】  以下に示す化学式１〜３にかかる化合物からなる群より選ばれた蛍光モノマー。
【化１】
2003531283.tif 000001
ここに、Ｒ９は、水素、アルキル、アルコキシ、ハロゲン、スルホン酸およびその塩、燐酸およびその塩、ジアルキルアミノ、アリルオキシ、並びにビニルベンジルオキシからなる群より選ばれ、
Ｒ１０とＲ１１とはアルキルであり、
Ｒ１２は、アリル、２−ヒドロキシ−３−アリルオキシ−プロピル、ビニルベンジル、３−メタクリルアミドプロピル、３−アクリルアミドプロピル、２−アクリルオキシエチル、および２−メタクリルオキシエチルからなる群より選ばれ、
Ａは、Ａが不存在のときは、Ｂは窒素（Ｎ）でありかつＢはイミド窒素に直接結合されるという条件の下、アルキル、アルコキシアルキル、アルキルアミドアルキル、アリル、または、不存在、からなる群より選ばれ、
Ｂは、Ｂがイオウであるとき、Ｒ１０またはＲ１１のうちのひとつのみ存在するという条件の下、イオウ、または窒素である。そして、Ｘはアニオン対イオンである。
【化２】
2003531283.tif 000002
ここに、ｎは１〜１０までの群から選ばれる整数であり、
Ｒ６とＲ７とはアルキルであり、
Ｒ８は、アリル、アルキル、ビニルベンジル、および２−ヒドロキシ−３−アリルオキシプロピルよりなる群から選ばれ、
Ｒ５は、アルキル、アルキルアミノ、ヒドロキシアルキル、およびアリルからなる群より選ばれ、
Ｄは、Ｄが不存在であるときは、（ＣＨ２）ｎが炭素原子または環に直接結合されるという条件の下、酸素、窒素、イオウ、または、不存在であり、
Ｘは、アニオン対イオンである。
【化３】
2003531283.tif 000003
ここに、Ｒ３は、スルホン酸およびその塩、カルボキシル酸およびその塩、アリルオキシ、または、ビニルベンジルオキシであり、
Ｒ４は、Ｒ３またはＲ４のうちひとつがスルホン酸およびその塩またはカルボキシル酸およびその塩であるとき、他方はアリルオキシ、またはビニルベンジルオキシでなければならない、という条件の下、スルホン酸およびその塩、カルボキシル酸およびその塩、アリルオキシ、またはビニルベンジルオキシである。
【請求項２】  ４−メトキシ−Ｎ−（３−Ｎ´、Ｎ´−ジメチルアミノプロピル）ナフタルイミド、２−ヒドロキシ−３−アリルオキシ−プロピル  ４級塩と命名された、モノマー（赤）である、請求項１の蛍光モノマー。
【請求項３】  ４−メトキシ−Ｎ−（３−Ｎ´、Ｎ´−ジメチルアミノプロピル）ナフタルイミド、アリル  クロリド  ４級塩である、請求項１の蛍光モノマー。
【請求項４】  ４−メトキシ−Ｎ−（３−Ｎ´、Ｎ´−ジメチルアミノプロピル）ナフタルイミド、ビニルベンジルクロリド４級塩である、請求項１の蛍光モノマー。
【請求項５】  下記（１）および（２）よりなる群から選ばれたタグ付けられた処理ポリマー。
（１）ＧａＱｊＷｔ
ここに、Ｇは、化学式４〜６に示される群より選ばれ
【化４】
2003531283.tif 000004
ここに、Ｒ９は、水素、アルキル、アルコキシ、ハロゲン、スルホン酸およびその塩、燐酸およびその塩、ジアルキルアミノ、アリルオキシ、並びにビニルベンジルオキシからなる群より選ばれ、
Ｒ１０とＲ１１とはアルキルであり、
Ｒ１２は、アリル、２−ヒドロキシ−３−アリルオキシ−プロピル、ビニルベンジル、３−メタクリルアミドプロピル、３−アクリルアミドプロピル、２−アクリルオキシエチル、および２−メタクリルオキシエチルからなる群より選ばれ、
Ａは、Ａが不存在のときは、Ｂは窒素（Ｎ）でありかつＢはイミド窒素に直接結合されるという条件の下、アルキル、アルコキシアルキル、アルキルアミドアルキル、アリル、または、不存在、からなる群より選ばれ、
Ｂは、Ｂがイオウであるとき、Ｒ１０またはＲ１１のうちのひとつのみ存在するという条件の下、イオウ、または窒素である。そして、Ｘはアニオン対イオンである。
【化５】
2003531283.tif 000005
ここに、ｎは１〜１０までの群から選ばれる整数であり、
Ｒ６とＲ７とはアルキルであり、
Ｒ８は、アリル、アルキル、ビニルベンジル、および２−ヒドロキシ−３−アリルオキシプロピルよりなる群から選ばれ、
Ｒ５は、アルキル、アルキルアミノ、ヒドロキシアルキル、およびアリルからなる群より選ばれ、
Ｄは、Ｄが不存在であるときは、（ＣＨ２）ｎが炭素原子または環に直接結合されるという条件の下、酸素、窒素、イオウ、または、不存在であり、
Ｘは、アニオン対イオンである。
【化６】
2003531283.tif 000006
ここに、Ｒ３は、スルホン酸およびその塩、カルボキシル酸およびその塩、アリルオキシ、または、ビニルベンジルオキシであり、
Ｒ４は、Ｒ３またはＲ４のうちひとつがスルホン酸およびその塩またはカルボキシル酸およびその塩であるとき、他方はアリルオキシ、またはビニルベンジルオキシでなければならない、という条件の下、スルホン酸およびその塩、カルボキシル酸およびその塩、アリルオキシ、またはビニルベンジルオキシである。
Ｑは、アクリル酸およびその塩、メタクリル酸およびその塩、マレイン酸およびその塩、無水マレイン酸、アクリルアミド、クロトン酸、アクリルアミドメチルプロパン、スルホン酸およびその塩からなる群より選ばれ、
Ｗは、ＱおよびＷは同一とはならないとの条件の下、
アクリル酸およびその塩、
メタクリル酸およびその塩、
イタコン酸およびその塩、
マレイン酸およびその塩、
無水マレイン酸、
クロトン酸およびその塩、
アクリルアミド、
メタクリルアミド、
ビニルスルホン酸、
スチレンスルホネート、
Ｎ−第３ブチルアクリルアミド、
Ｎ−イソプロピルアクリルアミド、
ブトキシメチルアクリルアミド、
Ｎ，Ｎ−ジエチルアクリルアミド、
ジメチルアミノエチル アクリレート メチル クロリド４級塩、
ジメチルアミノエチル アクリレート ベンジル クロリド４級塩、
ジメチルアミノエチル アクリレート メチル サルフェート４級塩、
ジメチルアミノエチル メタクリレート メチル サルフェート４級塩、
ジメチルアミノエチル アクリルアミド メチル サルフェート４級塩、
ジメチルアミノプロピル アクリルアミド メチル サルフェート４級塩、
ジメチルアミノプロピル メタクリルアミド メチル サルフェート４級塩、
ジアリルジメチル アンモニウム クロリド、
Ｎ−ビニルホルムアミド、
ジメチルアミノエチルメタクリレート酸塩（スルホン酸、および塩酸塩を含むがこれらに限定されない。）、
ジメチルアミノエチル メタクリレート メチル クロリド４級塩、
ジメチルアミノエチル メタクリレート ベンジル クロリド４級塩、
メタクリルアミドプロピル トリメチル アンモニウム クロリド、
アクリルアミドプロピル トリメチル アンモニウム クロリド、
メチレン ビス アクリルアミド、
トリアリルアミン、
トリアリルアミンの酸性塩、
エチレン グリコール ジメタクリレート、
ヒドロキシメチルアクリレート、
ヒドロキシエチルアクリレート、
ヒドロキシプロピルアクリレート、
ヒドロキシプロピルメタクリレート、
ジエチレン グリコール ジメタクリレート、
トリエチレン グリコール ジメチルアクリレート、
ポリエチレン グリコール ジメタクリレート、
メタクリル酸グリシジル、
アクリルアミドメチルプロパンスルホン酸およびそのナトリウム塩、
ビニルアルコール、
ビニルアセテート、および
Ｎ−ビニルピロリドン
からなる群より選ばれ、
ａは、０．００１〜１０．０モル％であり、
ｊは、０〜９９．９９９モル％であり、
ｔは、０〜９９．９９９モル％であり、
ａ＋ｊ＋ｔ＝１００
である。
（２）ＧａＱｖＷｆＳｃ
ここに、ＱとＷは同一になれないとの条件の下、
Ｇは前に定義したとおりであり、
Ｑは前に定義したとおりであり、
Ｗは前に定義したとおりであり、
Ｓは、スルホメチルアクリルアミド、およびスルホエチルアクリルアミドからな
る群より選ばれ、
ａは、０．００１〜１０．０モル％であり、
ｖは、０〜９７．９９９モル％であり、
ｆは、１〜９７．９９９モル％であり、
ｃは、１〜４０モル％であり、
ａ＋ｖ＋ｆ＋ｃ＝１００
である。
【請求項６】  Ｇが、４−メトキシ−Ｎ−（３−Ｎ´、Ｎ´−ジメチルアミノプロピル）ナフタルイミド、ビニルベンジルクロリド４級塩である、請求項５のタグ付けられた処理ポリマー。
【請求項７】  Ｇが、４−メトキシ−Ｎ−（３−Ｎ´、Ｎ´−ジメチルアミノプロピル）ナフタルイミド、アリル  クロリド  ４級塩である、請求項５のタグ付けられた処理ポリマー。
【請求項８】  Ｇが、４−メトキシ−Ｎ−（３−Ｎ´、Ｎ´−ジメチルアミノプロピル）ナフタルイミド、２−ヒドロオキシ−３−アリルオキシプロピル  ４級塩である、請求項５のタグ付けられた処理ポリマー。
【請求項９】  Ｑはアクリル酸であり、Ｗはアクリルアミドである、請求項５のタグ付けられた処理ポリマー。
【請求項１０】  Ｑはアクリルアミドであり、Ｗはアクリル酸であり、ＳはＮ−スルホメチルアクリルアミドである、請求項５のタグ付けられた処理ポリマー。
【請求項１１】  Ｑはアクリル酸であり、Ｗはアクリルアミドメチルプロパンスルホン酸である、請求項５のタグ付けられた処理ポリマー。
【請求項１２】  Ｇは４−メトキシ−Ｎ−（３−Ｎ´、Ｎ´−ジメチルアミノプロピル）ナフタルイミド、ビニルベンジルクロリド４級塩であり、Ｑはアクリル酸であり、Ｗはアクリルアミドであり、ＳはＮ−スルホメチルアクリルアミドである、請求項５のタグ付けられた処理ポリマー。
【請求項１３】  Ｇは４−メトキシ−Ｎ−（３−Ｎ´、Ｎ´−ジメチルアミノプロピル）ナフタルイミド、アリル  クロリド  ４級塩であり、Ｑはアクリル酸であり、Ｗはアクリルアミドであり、ＳはＮ−スルホメチルアクリルアミドである、請求項５のタグ付けられた処理ポリマー。
【請求項１４】  Ｇは４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸であり、Ｗはアクリルアミドであり、ＳはＮ−スルホメチルアクリルアミドである、請求項５のタグ付けられた処理ポリマー。
【請求項１５】  Ｇは４−メトキシ−Ｎ−（３−Ｎ´、Ｎ´−ジメチルアミノプロピル）ナフタルイミド、ビニルベンジルクロリド４級塩であり、Ｑはアクリル酸であり、Ｗはアクリルアミドメチルプロパンスルホン酸である、請求項５のタグ付けられた処理ポリマー。
【請求項１６】  Ｇは４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸であり、Ｗはアクリルアミドメチルプロパンスルホン酸である、請求項５のタグ付けられた処理ポリマー。
【請求項１７】  Ｇは４−メトキシ−Ｎ−（３−Ｎ´、Ｎ´−ジメチルアミノプロピル）ナフタルイミド、ビニルベンジルクロリド４級塩であり、Ｑはアクリル酸である、請求項５のタグ付けられた処理ポリマー。
【請求項１８】  Ｇは４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸である、請求項５のタグ付けられた処理ポリマー。
【請求項１９】  産業用水系内におけるスケール発生を防止するプロセスであって、下記（１）および（２）式からなる群より選ばれるタグ付けられた処理ポリマーを前記産業用水系に導入することを含むスケール発生を防止するプロセス。
（１）ＧａＱｊＷｔ
ここに、Ｇは、化学式７〜９に示される群より選ばれ
【化７】
2003531283.tif 000007
ここに、Ｒ９は、水素、アルキル、アルコキシ、ハロゲン、スルホン酸およびその塩、燐酸およびその塩、ジアルキルアミノ、アリルオキシ、並びにビニルベンジルオキシからなる群より選ばれ、
Ｒ１０とＲ１１とはアルキルであり、
Ｒ１２は、アリル、２−ヒドロキシ−３−アリルオキシ−プロピル、ビニルベンジル、３−メタクリルアミドプロピル、３−アクリルアミドプロピル、２−アクリルオキシエチル、および２−メタクリルオキシエチルからなる群より選ばれ、
Ａは、Ａが不存在のときは、Ｂは窒素（Ｎ）でありかつＢはイミド窒素に直接結合されるという条件の下、アルキル、アルコキシアルキル、アルキルアミドアルキル、アリル、または、不存在、からなる群より選ばれ、
Ｂは、Ｂがイオウであるとき、Ｒ１０またはＲ１１のうちのひとつのみ存在するという条件の下、イオウ、または窒素である。そして、Ｘはアニオン対イオンである。
【化８】
2003531283.tif 000008
ここに、ｎは１〜１０までの群から選ばれる整数であり、
Ｒ６とＲ７とはアルキルであり、
Ｒ８は、アリル、アルキル、ビニルベンジル、および２−ヒドロキシ−３−アリルオキシプロピルよりなる群から選ばれ、
Ｒ５は、アルキル、アルキルアミノ、ヒドロキシアルキル、およびアリルからなる群より選ばれ、
Ｄは、Ｄが不存在であるときは、（ＣＨ２）ｎが炭素原子または環に直接結合されるという条件の下、酸素、窒素、イオウ、または、不存在であり、
Ｘは、アニオン対イオンである。
【化９】
2003531283.tif 000009
ここに、Ｒ３は、スルホン酸およびその塩、カルボキシル酸およびその塩、アリルオキシ、または、ビニルベンジルオキシであり、
Ｒ４は、Ｒ３またはＲ４のうちひとつがスルホン酸およびその塩またはカルボキシル酸およびその塩であるとき、他方はアリルオキシ、またはビニルベンジルオキシでなければならない、という条件の下、スルホン酸およびその塩、カルボキシル酸およびその塩、アリルオキシ、またはビニルベンジルオキシである。
Ｑは、アクリル酸およびその塩、メタクリル酸およびその塩、マレイン酸およびその塩、無水マレイン酸、アクリルアミド、クロトン酸、アクリルアミドメチルプロパン、スルホン酸およびその塩からなる群より選ばれ、
Ｗは、ＱおよびＷは同一とはならないとの条件の下、
アクリル酸およびその塩、
メタクリル酸およびその塩、
イタコン酸およびその塩、
マレイン酸およびその塩、
無水マレイン酸、
クロトン酸およびその塩、
アクリルアミド、
メタクリルアミド、
ビニルスルホン酸、
スチレンスルホネート、
Ｎ−第３ブチルアクリルアミド、
Ｎ−イソプロピルアクリルアミド、
ブトキシメチルアクリルアミド、
Ｎ，Ｎ−ジエチルアクリルアミド、
ジメチルアミノエチル アクリレート メチル クロリド４級塩、
ジメチルアミノエチル アクリレート ベンジル クロリド４級塩、
ジメチルアミノエチル アクリレート メチル サルフェート４級塩、
ジメチルアミノエチル メタクリレート メチル サルフェート４級塩、
ジメチルアミノエチル アクリルアミド メチル サルフェート４級塩、
ジメチルアミノプロピル アクリルアミド メチル サルフェート４級塩、
ジメチルアミノプロピル メタクリルアミド メチル サルフェート４級塩、
ジアリルジメチル アンモニウム クロリド、
Ｎ−ビニルホルムアミド、
ジメチルアミノエチルメタクリレート酸塩（スルホン酸、および塩酸塩を含むがこれらに限定されない。）、
ジメチルアミノエチル メタクリレート メチル クロリド４級塩、
ジメチルアミノエチル メタクリレート ベンジル クロリド４級塩、
メタクリルアミドプロピル トリメチル アンモニウム クロリド、
アクリルアミドプロピル トリメチル アンモニウム クロリド、
メチレン ビス アクリルアミド、
トリアリルアミン、
トリアリルアミンの酸性塩、
エチレン グリコール ジメタクリレート、
ヒドロキシメチルアクリレート、
ヒドロキシエチルアクリレート、
ヒドロキシプロピルアクリレート、
ヒドロキシプロピルメタクリレート、
ジエチレン グリコール ジメタクリレート、
トリエチレン グリコール ジメチルアクリレート、
ポリエチレン グリコール ジメタクリレート、
メタクリル酸グリシジル、
アクリルアミドメチルプロパンスルホン酸およびそのナトリウム塩、
ビニルアルコール、
ビニルアセテート、および
Ｎ−ビニルピロリドン
からなる群より選ばれ、
ａは、０．００１〜１０．０モル％であり、
ｊは、０〜９９．９９９モル％であり、
ｔは、０〜９９．９９９モル％であり、
ａ＋ｊ＋ｔ＝１００
である。
（２）ＧａＱｖＷｆＳｃ
ここに、ＱとＷは同一になれないとの条件の下、
Ｇは前に定義したとおりであり、
Ｑは前に定義したとおりであり、
Ｗは前に定義したとおりであり、
Ｓは、スルホメチルアクリルアミド、およびスルホエチルアクリルアミドからなる群より選ばれ、
ａは、０．００１〜１０．０モル％であり、
ｖは、０〜９７．９９９モル％であり、
ｆは、１〜９７．９９９モル％であり、
ｃは、１〜４０モル％であり、
ａ＋ｖ＋ｆ＋ｃ＝１００
であり、スケール発生防止に十分な量である。
【請求項２０】  Ｑがアクリル酸であり、Ｗがアクリルアミドである請求項１９のプロセス。
【請求項２１】  Ｑがアクリル酸であり、Ｗがアクリルアミドであり、ＳはＮ−スルホメチルアクリルアミドである請求項１９のプロセス。
【請求項２２】  Ｑはアクリル酸であり、Ｗはアクリルアミドメチルプロパンスルホン酸である、請求項１９のプロセス。
【請求項２３】  Ｇは４−メトキシ−Ｎ−（３−Ｎ´、Ｎ´−ジメチルアミノプロピル）ナフタルイミド、ビニルベンジルクロリド４級塩であり、Ｑはアクリル酸であり、Ｗはアクリルアミドであり、ＳはＮ−スルホメチルアクリルアミドである、請求項１９のプロセス。
【請求項２４】  Ｇは４−メトキシ−Ｎ−（３−Ｎ´、Ｎ´−ジメチルアミノプロピル）ナフタルイミド、アリル  クロリド  ４級塩であり、Ｑはアクリル酸であり、Ｗはアクリルアミドであり、ＳはＮ−スルホメチルアクリルアミドである、請求項１９のプロセス。
【請求項２５】  Ｇは４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸であり、Ｗはアクリルアミドであり、ＳはＮ−スルホメチルアクリルアミドである、請求項１９のプロセス。
【請求項２６】  Ｇは４−メトキシ−Ｎ−（３−Ｎ´、Ｎ´−ジメチルアミノプロピル）ナフタルイミド、ビニルベンジルクロリド４級塩であり、Ｑはアクリル酸であり、Ｗはアクリルアミドメチルプロパンスルホン酸である、請求項１９のプロセス。
【請求項２７】  Ｇは４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸であり、Ｗはアクリルアミドメチルプロパンスルホン酸である、請求項１９のプロセス。
【請求項２８】  Ｇは４−メトキシ−Ｎ−（３−Ｎ´、Ｎ´−ジメチルアミノプロピル）ナフタルイミド、ビニルベンジルクロリド４級塩であり、Ｑはアクリル酸である、請求項１９のプロセス。
【請求項２９】  Ｇは４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸である、請求項１９のプロセス。
【請求項３０】  以下のｉ）〜ｉｖ）の工程を備えた、産業用水系内のタグ付けられた処理ポリマーを所望の量に維持する方法。
ｉ）下記（１）および（２）からなる群より選ばれるタグ付けられた処理ポリマーを前記産業用水系に添加する工程。
（１）ＧａＱｊＷｔ
ここに、Ｇは、化学式１０〜１２に示される群より選ばれ
【化１０】
2003531283.tif 000010
ここに、Ｒ９は、水素、アルキル、アルコキシ、ハロゲン、スルホン酸およびその塩、燐酸およびその塩、ジアルキルアミノ、アリルオキシ、並びにビニルベンジルオキシからなる群より選ばれ、
Ｒ１０とＲ１１とはアルキルであり、
Ｒ１２は、アリル、２−ヒドロキシ−３−アリルオキシ−プロピル、ビニルベンジル、３−メタクリルアミドプロピル、３−アクリルアミドプロピル、２−アクリルオキシエチル、および２−メタクリルオキシエチルからなる群より選ばれ、
Ａは、Ａが不存在のときは、Ｂは窒素（Ｎ）でありかつＢはイミド窒素に直接結合されるという条件の下、アルキル、アルコキシアルキル、アルキルアミドアルキル、アリル、または、不存在、からなる群より選ばれ、
Ｂは、Ｂがイオウであるとき、Ｒ１０またはＲ１１のうちのひとつのみ存在するという条件の下、イオウ、または窒素である。そして、Ｘはアニオン対イオンである。
【化１１】
2003531283.tif 000011
ここに、ｎは１〜１０までの群から選ばれる整数であり、
Ｒ６とＲ７とはアルキルであり、
Ｒ８は、アリル、アルキル、ビニルベンジル、および２−ヒドロキシ−３−アリルオキシプロピルよりなる群から選ばれ、
Ｒ５は、アルキル、アルキルアミノ、ヒドロキシアルキル、およびアリルからなる群より選ばれ、
Ｄは、Ｄが不存在であるときは、（ＣＨ２）ｎが炭素原子または環に直接結合されるという条件の下、酸素、窒素、イオウ、または、不存在であり、
Ｘは、アニオン対イオンである。
【化１２】
2003531283.tif 000012
ここに、Ｒ３は、スルホン酸およびその塩、カルボキシル酸およびその塩、アリルオキシ、または、ビニルベンジルオキシであり、
Ｒ４は、Ｒ３またはＲ４のうちひとつがスルホン酸およびその塩またはカルボキシル酸およびその塩であるとき、他方はアリルオキシ、またはビニルベンジルオキシでなければならない、という条件の下、スルホン酸およびその塩、カルボキシル酸およびその塩、アリルオキシ、またはビニルベンジルオキシである。
Ｑは、アクリル酸およびその塩、メタクリル酸およびその塩、マレイン酸およびその塩、無水マレイン酸、アクリルアミド、クロトン酸、並びに、アクリルアミドメチルプロパンスルホン酸およびその塩、からなる群より選ばれ、
Ｗは、ＱとＷとは同一とはならない、との条件の下、
アクリル酸およびその塩、
メタクリル酸およびその塩、
イタコン酸およびその塩、
マレイン酸およびその塩、
無水マレイン酸、
クロトン酸およびその塩、
アクリルアミド、
メタクリルアミド、
ビニルスルホン酸、
スチレンスルホネート、
Ｎ−テトラブチルアクリルアミド、
Ｎ−イソプロピルアクリルアミド、
ブトキシメチルアクリルアミド、
Ｎ，Ｎ−ジエチルアクリルアミド、
ジメチルアミノエチル アクリレート メチル クロリド４級塩、
ジメチルアミノエチル アクリレート ベンジル クロリド４級塩、
ジメチルアミノエチル アクリレート メチル サルフェート４級塩、
ジメチルアミノエチル メタクリレート メチル サルフェート４級塩、
ジメチルアミノエチル アクリルアミド メチル サルフェート４級塩、
ジメチルアミノプロピル アクリルアミド メチル サルフェート４級塩、
ジメチルアミノプロピル メタクリルアミド メチル サルフェート４級塩、
ジアリルジメチル アンモニウム クロリド、
Ｎ−ビニルホルムアミド、
ジメチルアミノエチルメタクリレート酸塩（スルホン酸、および塩酸塩を含むがこれらに限定されない。）、
ジメチルアミノエチル メタクリレート メチル クロリド４級塩、
ジメチルアミノエチル メタクリレート ベンジル クロリド４級塩、
メタクリルアミドプロピル トリメチル アンモニウム クロリド、
アクリルアミドプロピル トリメチル アンモニウム クロリド、
メチレン ビス アクリルアミド、
トリアリルアミン、
トリアリルアミンの酸性塩、
エチレン グリコール ジメタクリレート、
ヒドロキシメチルアクリレート、
ヒドロキシエチルアクリレート、
ヒドロキシプロピルアクリレート、
ヒドロキシプロピルメタクリレート、
ジエチレン グリコール ジメタクリレート、
トリエチレン グリコール ジメチルアクリレート、
ポリエチレン グリコール ジメタクリレート、
メタクリル酸グリシジル、
アクリルアミドメチルプロパンスルホン酸およびそのナトリウム塩、
ビニルアルコール、
ビニルアセテート、および
Ｎ−ビニルピロリドン
からなる群より選ばれ、
ａは、０．００１〜１０．０モル％であり、
ｊは、０〜９９．９９９モル％であり、
ｔは、０〜９９．９９９モル％であり、
ａ＋ｊ＋ｔ＝１００
である。
（２）ＧａＱｖＷｆＳｃ
ここに、ＱとＷは同一になれないとの条件の下、
Ｇは前に定義したとおりであり、
Ｑは前に定義したとおりであり、
Ｗは前に定義したとおりであり、
Ｓは、スルホメチルアクリルアミド、およびスルホエチルアクリルアミドからなる群より選ばれ、
ａは、０．００１〜１０．０モル％であり、
ｖは、０〜９７．９９９モル％であり、
ｆは、１〜９７．９９９モル％であり、
ｃは、１〜４０モル％であり、
ａ＋ｖ＋ｆ＋ｃ＝１００
である。
ｉｉ）タグ付けられた処理ポリマーの蛍光信号を検知する蛍光光度計を使用する工程。
ｉｉｉ）タグ付けられた処理ポリマーの蛍光信号をタグ付けられた処理ポリマーの濃度に変換する工程。
ｉｖ）タグ付けられた処理ポリマーの濃度を産業用水系内で望ましい濃度に調整する工程。
【請求項３１】  Ｑはアクリル酸であり、Ｗはアクリルアミドである、請求項３０の方法。
【請求項３２】  Ｑはアクリルアミドであり、Ｗはアクリル酸であり、ＳはＮ−スルホメチルアクリルアミドである、請求項３０の方法。
【請求項３３】  Ｑはアクリル酸であり、Ｗはアクリルアミドメチルプロパンスルホン酸である、請求項３０の方法。
【請求項３４】  Ｇは４−メトキシ−Ｎ−（３−Ｎ´、Ｎ´−ジメチルアミノプロピル）ナフタルイミド、ビニルベンジルクロリド４級塩であり、Ｑはアクリル酸であり、Ｗはアクリルアミドであり、ＳはＮ−スルホメチルアクリルアミドである、請求項３０の方法。
【請求項３５】  Ｇは４−メトキシ−Ｎ−（３−Ｎ´、Ｎ´−ジメチルアミノプロピル）ナフタルイミド、アリル  クロリド  ４級塩であり、Ｑはアクリル酸であり、Ｗはアクリルアミドであり、ＳはＮ−スルホメチルアクリルアミドである、請求項３０の方法。
【請求項３６】  Ｇは４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸であり、Ｗはアクリルアミドであり、ＳはＮ−スルホメチルアクリルアミドである、請求項３０の方法。
【請求項３７】  前記蛍光モノマーＧが、４−メトキシ−Ｎ−（３−Ｎ´、Ｎ´−ジメチルアミノプロピル）ナフタルイミド、ビニルベンジルクロリド４級塩であり、Ｑはアクリル酸であり、Ｗはアクリルアミドメチルプロパンスルホン酸である、請求項３０の方法。
【請求項３８】  前記蛍光モノマーＧが、４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸であり、Ｗはアクリルアミドメチルプロパンスルホン酸である、請求項３０の方法。
【請求項３９】  前記蛍光モノマーＧが、４−メトキシ−Ｎ−（３−Ｎ´、Ｎ´−ジメチルアミノプロピル）ナフタルイミド、ビニルベンジルクロリド４級塩であり、Ｑはアクリル酸である、請求項３０の方法。
【請求項４０】  前記蛍光モノマーＧが、４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸である、請求項３０の方法。
【請求項４１】  以下のａ）〜ｄ）に示す工程を含む産業用水系におけるタグ付けられた処理ポリマーを所望の量に維持する方法。
ａ）産業用水系の水に不活性トレーサとタグ付けられた処理ポリマーを添加する工程。ここに、タグ付けられた処理ポリマーは下記（１）および（２）からなる群から選ばれる。
（１）ＧａＱｊＷｔ
ここに、Ｇは、化学式１３〜１５に示される群より選ばれ
【化１３】
2003531283.tif 000013
ここに、Ｒ９は、水素、アルキル、アルコキシ、ハロゲン、スルホン酸およびその塩、燐酸およびその塩、ジアルキルアミノ、アリルオキシ、並びにビニルベンジルオキシからなる群より選ばれ、
Ｒ１０とＲ１１とはアルキルであり、
Ｒ１２は、アリル、２−ヒドロキシ−３−アリルオキシ−プロピル、ビニルベンジル、３−メタクリルアミドプロピル、３−アクリルアミドプロピル、２−アクリルオキシエチル、および２−メタクリルオキシエチルからなる群より選ばれ、
Ａは、Ａが不存在のときは、Ｂは窒素（Ｎ）でありかつＢはイミド窒素に直接結合されるという条件の下、アルキル、アルコキシアルキル、アルキルアミドアルキル、アリル、または、不存在、からなる群より選ばれ、
Ｂは、Ｂがイオウであるとき、Ｒ１０またはＲ１１のうちのひとつのみ存在するという条件の下、イオウ、または窒素である。そして、Ｘはアニオン対イオンである。
【化１４】
2003531283.tif 000014
ここに、ｎは１〜１０までの群から選ばれる整数であり、
Ｒ６とＲ７とはアルキルであり、
Ｒ８は、アリル、アルキル、ビニルベンジル、および２−ヒドロキシ−３−アリルオキシプロピルよりなる群から選ばれ、
Ｒ５は、アルキル、アルキルアミノ、ヒドロキシアルキル、およびアリルからなる群より選ばれ、
Ｄは、Ｄが不存在であるときは、（ＣＨ２）ｎが炭素原子または環に直接結合されるという条件の下、酸素、窒素、イオウ、または、不存在であり、
Ｘは、アニオン対イオンである。
【化１５】
2003531283.tif 000015
ここに、Ｒ３は、スルホン酸およびその塩、カルボキシル酸およびその塩、アリルオキシ、または、ビニルベンジルオキシであり、
Ｒ４は、Ｒ３またはＲ４のうちひとつがスルホン酸およびその塩またはカルボキシル酸およびその塩であるとき、他方はアリルオキシ、またはビニルベンジルオキシでなければならない、という条件の下、スルホン酸およびその塩、カルボキシル酸およびその塩、アリルオキシ、またはビニルベンジルオキシである。
Ｑは、アクリル酸およびその塩、メタクリル酸およびその塩、マレイン酸およびその塩、無水マレイン酸、アクリルアミド、クロトン酸、並びに、アクリルアミドメチルプロパンスルホン酸およびその塩、からなる群より選ばれ、
Ｗは、ＱとＷとは同一とはならない、との条件の下、
アクリル酸およびその塩、
メタクリル酸およびその塩、
イタコン酸およびその塩、
マレイン酸およびその塩、
無水マレイン酸、
クロトン酸およびその塩、
アクリルアミド、
メタクリルアミド、
ビニルスルホン酸、
スチレンスルホネート、
Ｎ−テトラブチルアクリルアミド、
Ｎ−イソプロピルアクリルアミド、
ブトキシメチルアクリルアミド、
Ｎ，Ｎ−ジエチルアクリルアミド、
ジメチルアミノエチル アクリレート メチル クロリド４級塩、
ジメチルアミノエチル アクリレート ベンジル クロリド４級塩、
ジメチルアミノエチル アクリレート メチル サルフェート４級塩、
ジメチルアミノエチル メタクリレート メチル サルフェート４級塩、
ジメチルアミノエチル アクリルアミド メチル サルフェート４級塩、
ジメチルアミノプロピル アクリルアミド メチル サルフェート４級塩、
ジメチルアミノプロピル メタクリルアミド メチル サルフェート４級塩、
ジアリルジメチル アンモニウム クロリド、
Ｎ−ビニルホルムアミド、
ジメチルアミノエチルメタクリレート酸塩（スルホン酸、および塩酸塩を含むがこれらに限定されない。）、
ジメチルアミノエチル メタクリレート メチル クロリド４級塩、
ジメチルアミノエチル メタクリレート ベンジル クロリド４級塩、
メタクリルアミドプロピル トリメチル アンモニウム クロリド、
アクリルアミドプロピル トリメチル アンモニウム クロリド、
メチレン ビス アクリルアミド、
トリアリルアミン、
トリアリルアミンの酸性塩、
エチレン グリコール ジメタクリレート、
ヒドロキシメチルアクリレート、
ヒドロキシエチルアクリレート、
ヒドロキシプロピルアクリレート、
ヒドロキシプロピルメタクリレート、
ジエチレン グリコール ジメタクリレート、
トリエチレン グリコール ジメチルアクリレート、
ポリエチレン グリコール ジメタクリレート、
メタクリル酸グリシジル、
アクリルアミドメチルプロパンスルホン酸およびそのナトリウム塩、
ビニルアルコール、
ビニルアセテート、および
Ｎ−ビニルピロリドン
からなる群より選ばれ、
ａは、０．００１〜１０．０モル％であり、
ｊは、０〜９９．９９９モル％であり、
ｔは、０〜９９．９９９モル％であり、
ａ＋ｊ＋ｔ＝１００
である。
（２）ＧａＱｖＷｆＳｃ
ここに、ＱとＷは同一になれないとの条件の下、
Ｇは前に定義したとおりであり、
Ｑは前に定義したとおりであり、
Ｗは前に定義したとおりであり、
Ｓは、スルホメチルアクリルアミド、およびスルホエチルアクリルアミドからなる群より選ばれ、
ａは、０．００１〜１０．０モル％であり、
ｖは、０〜９７．９９９モル％であり、
ｆは、１〜９７．９９９モル％であり、
ｃは、１〜４０モル％であり、
ａ＋ｖ＋ｆ＋ｃ＝１００
であり、前記タグ付けられた処理ポリマーが望ましい濃度で、前記水の中に存在するようにされている。
ｂ）前記不活性トレーサとタグ付けられた処理ポリマーとの蛍光信号を検知する蛍光光度計を使用する工程。
ｃ）前記不活性トレーサとタグ付けられた処理ポリマーとの蛍光信号を、前記不活性トレーサとタグ付けられた処理ポリマーとの濃度に変換する工程。
ｄ）タグ付けられた処理ポリマーの濃度を産業用水系内で望ましい濃度に調整する工程。
【請求項４２】  Ｑはアクリル酸であり、Ｗはアクリルアミドである、請求項４１の方法。
【請求項４３】  Ｑはアクリルアミドであり、Ｗはアクリル酸であり、ＳはＮ−スルホメチルアクリルアミドである、請求項４１の方法。
【請求項４４】  Ｑはアクリル酸であり、Ｗはアクリルアミドメチルプロパンスルホン酸である、請求項４１の方法。
【請求項４５】  Ｇは４−メトキシ−Ｎ−（３−Ｎ´、Ｎ´−ジメチルアミノプロピル）ナフタルイミド、ビニルベンジルクロリド４級塩であり、Ｑはアクリル酸であり、Ｗはアクリルアミドであり、ＳはＮ−スルホメチルアクリルアミドである、請求項４１の方法。
【請求項４６】  ＧはＮ−アリル−４−（２−Ｎ´、Ｎ´−ジメチルアミノエトキシ）ナフタルイミド、メチル硫酸４級塩であり、Ｑはアクリル酸であり、Ｗはアクリルアミドであり、ＳはＮ−スルホメチルアクリルアミドである、請求項４１の方法。
【請求項４７】  Ｇは４−メトキシ−Ｎ−（３−Ｎ´、Ｎ´−ジメチルアミノプロピル）ナフタルイミド、アリル  クロリド  ４級塩であり、Ｑはアクリル酸であり、Ｗはアクリルアミドであり、ＳはＮ−スルホメチルアクリルアミドである、請求項４１の方法。
【請求項４８】  Ｇは４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸であり、Ｗはアクリルアミドであり、ＳはＮ−スルホメチルアクリルアミドである、請求項４１の方法。
【請求項４９】  Ｇは４−メトキシ−Ｎ−（３−Ｎ´、Ｎ´−ジメチルアミノプロピル）ナフタルイミド、ビニルベンジルクロリド４級塩であり、Ｑはアクリル酸であり、Ｗはアクリルアミドメチルプロパンスルホン酸である、請求項４１の方法。
【請求項５０】  Ｇは４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸であり、Ｗはアクリルアミドメチルプロパンスルホン酸である、請求項４１の方法。
【請求項５１】  Ｇは４−メトキシ−Ｎ−（３−Ｎ´、Ｎ´−ジメチルアミノプロピル）ナフタルイミド、２−ヒドロオキシ−３−アリルオキシプロピル  ４級塩であり、Ｑはアクリル酸である、請求項４１の方法。
【請求項５２】  Ｇは４−メトキシ−Ｎ−（３−Ｎ´、Ｎ´−ジメチルアミノプロピル）ナフタルイミド、ビニルベンジルクロリド４級塩であり、Ｑはアクリル酸である、請求項４１の方法。